(57)【特許請求の範囲】
【請求項１】
個人情報を表示する表示部を備える携帯端末において、
他の携帯端末と互いの個人情報を相互に送受信し、出席者の個人情報を受信する通信部と、
受信した前記個人情報と、前記個人情報ごとに対応付けた前記出席者の配置位置を表す位置情報と、前記個人情報ごとに対応付けた、基準角度位置から当該個人情報に対応する前記出席者の配置までの前記携帯端末の傾斜角度を表す角度情報とを含む個人情報保持部と、
前記携帯端末の傾斜角度を検知する方位検知部と、
前記方位検知部が前記携帯端末の傾斜角度を検知すると、前記個人情報保持部を参照して、前記表示部に、前記位置情報に基づき前記出席者の配置を表示させ、表示させた前記出席者の配置ごとに前記傾斜角度の角度情報に対応する前記出席者の前記個人情報を表示させる表示制御部と、
を有することを特徴とする携帯端末。
【請求項２】
前記表示部に対する操作入力を検知する入力検知部をさらに有し、
前記表示部が表示する前記出席者の配置を選択する操作入力を前記入力検知部が検知すると、前記表示制御部は、選択された配置に対応する前記出席者の前記個人情報を前記表示部に表示させる、
ことを特徴とする請求項１記載の携帯端末。
【請求項３】
前記個人情報保持部は、前記個人情報ごとに対応付けた、前記出席者の音声を表す音声情報をさらに含み、
前記出席者の音声を取得する集音部をさらに有し、
前記集音部が前記出席者の音声情報を取得すると、前記表示制御部は、前記個人情報保持部を参照して、前記表示部に、当該音声情報に対応する前記出席者の前記個人情報を表示させる、
ことを特徴とする請求項１または２に記載の携帯端末。
【請求項４】
出席者の配置位置を表す位置情報を算出し、個人情報ごとに対応付けた、基準角度位置から前記個人情報に対応する前記出席者の配置までの携帯端末の傾斜角度を表す角度情報を有する個人情報管理装置と、
他の携帯端末と互いの個人情報を相互に送受信し、前記出席者の個人情報を受信する通信部と、表示部と、受信した前記個人情報と、前記個人情報ごとに対応付けた、前記個人情報管理装置が算出した前記位置情報とを含む個人情報保持部と、当該携帯端末の傾斜角度を検知する方位検知部と、前記個人情報保持部を参照して、前記表示部に、前記位置情報に基づき前記出席者の配置を表示させ、表示させた前記出席者の配置ごとに前記位置情報に対応する前記出席者の前記個人情報を表示させる表示制御部と、を有する携帯端末と、
を備え、
前記個人情報管理装置は、前記携帯端末から検知した前記傾斜角度の角度情報に対応する前記個人情報の表示要求を前記携帯端末に通知する、
ことを特徴とする個人情報表示システム。
【請求項５】
前記出席者はＲＦＩＤタグを有し、
前記個人情報管理装置は、
複数の所定位置から、検知した前記ＲＦＩＤタグまでの距離に基づき、前記ＲＦＩＤタグの前記位置情報を算出する、
ことを特徴とする請求項４記載の個人情報表示システム。
【請求項６】
前記携帯端末は、前記出席者の音声情報を取得する集音部を有し、
前記個人情報管理装置は、前記出席者の個人情報に対応付けた、前記出席者の音声情報をさらに有し、前記携帯端末から通知された前記音声情報に対応する前記個人情報の表示要求を前記携帯端末に通知する、
ことを特徴とする請求項４または５記載の個人情報表示システム。
【発明の詳細な説明】
【技術分野】
【０００１】
本発明は、携帯端末及び個人情報表示システムに関する。
【背景技術】
【０００２】
紙媒体に代わって電子的に名刺交換が行われるようになっている。このような名刺交換は、例えば、携帯電話、スマートフォン等の携帯端末にて赤外線通信等により個人情報を相互に交換することで実行される（例えば、特許文献１参照）。この際、顔写真を撮影して個人情報と共に保存しておくことも可能である。このような技術により、これまでの紙媒体の名刺交換と同様の実効を得ることができる。また、自身の名刺の記載内容に変更が生じても、名刺の刷り直しを新たに行う必要がなく、容易に記載内容を更新することができる。
【先行技術文献】
【特許文献】
【０００３】
【特許文献１】特開２００７−２７２３１０号公報
【発明の概要】
【発明が解決しようとする課題】
【０００４】
しかし、このような名刺交換では、会議、打ち合わせ等において、例えば、名刺交換して着席した後に、取得した出席者の個人情報をもう一度確認したい場合には、当該携帯端末から検索しなくてはならない。特に、多くの個人情報を保存した携帯端末では、所望の出席者を検索するために時間を要し、即座に出席者の個人情報を表示することはできないという問題点があった。
【０００５】
本件は、このような点を鑑みて、出席者の個人情報を即座に表示することができる携帯端末及び個人情報表示システムを提供することを目的とする。
【課題を解決するための手段】
【０００６】
上記目的を達成するために、個人情報を表示する表示部を備える携帯端末において、他の携帯端末と互いの個人情報を相互に送受信し、出席者の個人情報を受信する通信部と、受信した前記個人情報と、前記個人情報ごとに対応付けた前記出席者の配置位置を表す位置情報と、前記個人情報ごとに対応付けた、基準角度位置から当該個人情報に対応する前記出席者の配置までの前記携帯端末の傾斜角度を表す角度情報とを含む個人情報保持部と、前記携帯端末の傾斜角度を検知する方位検知部と、前記方位検知部が前記携帯端末の傾斜角度を検知すると、前記個人情報保持部を参照して、前記表示部に、前記位置情報に基づき前記出席者の配置を表示させ、表示させた前記出席者の配置ごとに前記傾斜角度の角度情報に対応する前記出席者の前記個人情報を表示させる表示制御部と、を有する携帯端末が提供される。
【０００８】
また、上記目的を達成するために、出席者の配置位置を表す位置情報を算出し、個人情報ごとに対応付けた、基準角度位置から前記個人情報に対応する前記出席者の配置までの携帯端末の傾斜角度を表す角度情報を有する個人情報管理装置と、他の携帯端末と互いの個人情報を相互に送受信し、前記出席者の個人情報を受信する通信部と、表示部と、受信した前記個人情報と、前記個人情報ごとに対応付けた、前記個人情報管理装置が算出した前記位置情報とを含む個人情報保持部と、当該携帯端末の傾斜角度を検知する方位検知部と、前記個人情報保持部を参照して、前記表示部に、前記位置情報に基づき前記出席者の配置を表示させ、表示させた前記出席者の配置ごとに前記位置情報に対応する前記出席者の前記個人情報を表示させる表示制御部と、を有する携帯端末と、を備え、前記個人情報管理装置は、前記携帯端末から検知した前記傾斜角度の角度情報に対応する前記個人情報の表示要求を前記携帯端末に通知する、個人情報表示システムが提供される。
【発明の効果】
【０００９】
このような携帯端末及び個人情報表示システムによれば、出席者の個人情報を即座に表示することができる。
【図面の簡単な説明】
【００１０】
【図１】第１の実施の形態に係る個人情報表示システムの構成例を示す図である。
【図２】第１の実施の形態に係る個人情報表示システムの携帯端末の配置図の表示例を示す図である。
【図３】第２の実施の形態に係る個人情報表示システム及び個人情報表示システムの個人情報管理装置のハードウェア構成例を示す図である。
【図４】第２の実施の形態に係る個人情報表示システムの携帯端末のハードウェア構成例を示す図である。
【図５】第２の実施の形態に係る個人情報表示システムが設置された配置図の一例を示す図である。
【図６】第２の実施の形態に係る個人情報管理装置及び携帯端末の個人情報保持部の情報を示す図（その１）である。
【図７】第２の実施の形態に係る個人情報表示システムの携帯端末間の個人情報交換処理を実行するためのフローチャートである。
【図８】第２の実施の形態に係る個人情報表示システムの個人情報管理装置の個人情報取得処理及び位置情報算出処理を実行するためのフローチャートである。
【図９】第２の実施の形態に係る個人情報管理装置及び携帯端末の個人情報保持部の情報を示す図（その２）である。
【図１０】第２の実施の形態に係る個人情報表示システムの携帯端末の配置図表示処理及び個人情報表示処理を実行するためのフローチャートである。
【図１１】第２の実施の形態に係る個人情報表示システムの携帯端末が表示する配置図及び個人情報を模式的に示す図である。
【図１２】第３の実施の形態に係る個人情報表示システムが設置された配置図の一例を示す図である。
【図１３】第３の実施の形態に係る個人情報表示システムの携帯端末の基準角度設定処理を実行するためのフローチャートである。
【図１４】第３の実施の形態に係る個人情報表示システムの個人情報管理装置の位置・角度情報算出処理を実行するためのフローチャートである。
【図１５】第３の実施の形態に係る個人情報管理装置及び携帯端末の個人情報保持部の情報を示す図である。
【図１６】第３の実施の形態に係る個人情報表示システムの携帯端末の個人情報表示処理及び個人情報管理装置の角度情報照会処理を実行するためのフローチャートである。
【図１７】第３の実施の形態に係る個人情報表示システムの携帯端末が表示する配置図及び個人情報を模式的に示す図である。
【図１８】第４の実施の形態に係る個人情報表示システムの携帯端末の個人情報表示処理を実行するためのフローチャートである。
【図１９】第５の実施の形態に係る個人情報表示システムの携帯端末間の個人情報交換処理を実行するためのフローチャートである。
【図２０】第５の実施の形態に係る個人情報表示システムの個人情報管理装置の個人情報取得処理を実行するためのフローチャートである。
【図２１】第５の実施の形態に係る個人情報管理装置及び携帯端末の個人情報保持部の情報を示す図である。
【図２２】第５の実施の形態に係る個人情報表示システムの携帯端末の個人情報表示処理及び個人情報管理装置の音声照会処理を実行するためのフローチャートである。
【図２３】第５の実施の形態に係る個人情報表示システムの携帯端末が表示する個人情報を模式的に示す図である。
【図２４】第６の実施の形態に係る個人情報表示システムの携帯端末の個人情報表示処理を実行するためのフローチャートである。
【図２５】第７の実施の形態に係る個人情報管理装置及び携帯端末が保持する個人情報を示す図である。
【図２６】第７の実施の形態に係る個人情報表示システムの携帯端末が表示する配置図及び個人情報を模式的に示す図である。
【発明を実施するための形態】
【００１１】
以下、図面を参照して実施の形態について説明する。
［第１の実施の形態］
まず、第１の実施の形態の個人情報表示システムの構成例について図１を用いて説明する。
【００１２】
図１は、第１の実施の形態に係る個人情報表示システムの構成例を示す図である。なお、図１（Ａ）は、個人情報表示システム１と、テーブル４に配置した出席者Ａ１〜Ａ３，Ｈとの上面配置図、図１（Ｂ）は、携帯端末３の機能を表す機能ブロック図をそれぞれ示している。
【００１３】
個人情報表示システム１では、出席者の配置を表示すると共に、表示した出席者の配置ごとに出席者の個人情報を表示することができるものである。
このような個人情報表示システム１は、図１（Ａ）に示すように、室５内に、個人情報管理装置２及び携帯端末３を有している。なお、室５内には、テーブル４が設けられ、テーブル４の各位置には出席者Ａ１〜Ａ３，Ｈが配置しているものとする。
【００１４】
個人情報管理装置２は、出席者の位置情報を算出する。例えば、図１（Ａ）に示すように、室５内には、ＲＦＩＤ（Radio Frequency IDentification）タグを検知するＲＦＩＤタグ検知部のアンテナ２ａが設置されている。個人情報管理装置２は、（携帯端末３に付された）ＲＦＩＤタグ（後述）を有する出席者の配置位置を表す位置情報を当該ＲＦＩＤタグに基づき特定する。さらに、個人情報管理装置２は、無線通信を行う無線通信部２ｂを備えており、特定した位置情報を携帯端末３（後述）に通知する。
【００１５】
携帯端末３は、出席者Ａ１〜Ａ３，Ｈがそれぞれ所有している。出席者Ａ１〜Ａ３，Ｈは、携帯端末３を身に着けている場合、図１（Ａ）に示すように携帯端末３をテーブル４上に載置している場合等がある。第１〜第６の実施の形態では、いずれの場合でも、携帯端末３に付されたＲＦＩＤタグの位置を出席者Ａ１〜Ａ３，Ｈの位置とみなすこととしている。
【００１６】
なお、出席者Ｈは、「本人」であって、第１〜第６の実施の形態では、特に断りが無い限り、「本人」の携帯端末３での処理等について説明する。
また、携帯端末３は、図１（Ｂ）に示すように、個人情報保持部３ａを有する。個人情報保持部３ａは、出席者の個人情報（氏名、会社名、連絡先等）及びＲＦＩＤ識別情報を保持する。このような個人情報に、当該個人情報に対応する出席者の位置情報が対応付けられている。なお、個人情報保持部３ａには、「本人」の個人情報等は事前に保持しておき、他の出席者の個人情報等及び位置情報は後に取得されて保持される。
【００１７】
携帯端末３は、さらに、表示部３ｂと、入力検知部３ｃ、表示制御部３ｄ、情報通信部３ｅ、ＲＦＩＤタグ３ｆを備えている。
表示部３ｂは、画像を表示する、例えば、モニタである。
【００１８】
入力検知部３ｃは、表示部３ｂに対する操作入力を検知する、例えば、表示部３ｂに設置されたタッチパネルである。
表示制御部３ｄは、個人情報保持部３ａを参照して、表示部３ｂに、位置情報に基づき出席者の配置を表示させ、表示させた出席者の配置ごとに、当該配置の位置情報に対応する出席者の個人情報を表示させる。なお、表示制御部３ｄは、表示部３ｂが表示する出席者の配置を選択する操作入力を入力検知部３ｃが検知すると、選択された配置に対応する出席者の個人情報を表示部３ｂに表示させる。
【００１９】
情報通信部３ｅは、名刺交換時に携帯端末３間の個人情報及びＲＦＩＤ識別情報の送受信を行って、取得したこれらの情報を個人情報保持部３ａに保持させる。また、個人情報管理装置２と無線通信部２ｂを介して通信して個人情報管理装置２が算出した出席者の位置情報を取得し、個人情報保持部３ａに各個人情報に対応付けて保持させる。
【００２０】
ＲＦＩＤタグ３ｆは、ＲＦＩＤ識別情報を記録している。
次に、このような構成を有する個人情報表示システム１による個人情報表示方法について説明する。
【００２１】
まず、名刺交換による個人情報の取得並びに格納、及び出席者の位置情報の算出について説明する。
室５内において、出席者Ａ１〜Ａ３，Ｈが携帯端末３の情報通信部３ｅにより個人情報及びＲＦＩＤ識別情報を相互通信して名刺交換を行う。出席者Ａ１〜Ａ３，Ｈの携帯端末３には、出席者Ａ１〜Ａ３，Ｈの個人情報及びＲＦＩＤ識別情報がそれぞれ格納される。この際、個人情報に出席者の顔写真が含まれていない場合には、携帯端末３が具備するカメラ（図示を省略）により顔写真を撮影して個人情報と共に格納することもできる。
【００２２】
また、個人情報管理装置２は、ＲＦＩＤタグ検知部でアンテナ２ａを介して、出席者Ａ１〜Ａ３，Ｈが所有する携帯端末３に付されたＲＦＩＤタグ３ｆのＲＦＩＤ識別情報を検知する。そして、ＲＦＩＤタグ検出部のアンテナ２ａから各ＲＦＩＤタグ３ｆまでの距離に基づき、各ＲＦＩＤタグ３ｆに対応する出席者の配置位置を表す位置情報を算出する。算出した位置情報は、無線通信部２ｂを介して、出席者Ａ１〜Ａ３，Ｈの携帯端末３に通知され、携帯端末３の情報通信部３ｅから個人情報保持部３ａにそれぞれ格納される。
【００２３】
このようにして名刺交換に関する処理が完了する。
次いで、携帯端末３の配置図の表示例について図２を用いて説明する。
図２は、第１の実施の形態に係る個人情報表示システムの携帯端末の配置図の表示例を示す図である。なお、図２（Ａ）は、テーブル４に対して配置した出席者Ａ１〜Ａ３，Ｈの配置図、図２（Ｂ）は、表示部３ｂに対する出席者Ａ３の個人情報の表示をそれぞれ表している。
【００２４】
出席者Ｈの携帯端末３では、表示制御部３ｄが、個人情報保持部３ａを参照して、表示部３ｂに、図２（Ａ）に示すように、位置情報に基づき出席者Ａ１〜Ａ３，Ｈの配置を表示する。
【００２５】
この際に、例えば、出席者Ｈが出席者Ａ３の個人情報を知りたい場合に、表示部３ｂに表示されている「出席者Ａ３」をタッチして「出席者Ａ３」を選択する操作入力を行う。携帯端末３の入力検知部３ｃが当該操作入力を検知すると、表示制御部３ｄは、個人情報保持部３ａを参照し当該操作入力に対応する位置情報に基づき、図２（Ｂ）に示すように、選択された出席者Ａ３の個人情報が記載されたウィンドウ３ｂ１を表示部３ｂに表示させる。携帯端末３は、このようにして表示部３ｂに所望の出席者Ａ３の個人情報を即座に表示させることができる。
【００２６】
上記の個人情報表示システム１では、携帯端末３は、出席者Ａ１〜Ａ３，Ｈの個人情報に、個人情報管理装置２が算出及び通知した出席者Ａ１〜Ａ３，Ｈの位置情報を対応付けて個人情報保持部３ａに保持する。携帯端末３は、表示部３ｂに、位置情報に基づき出席者の配置を表示させる。そして、携帯端末３は、表示部３ｂが表示する出席者の配置のいずれかを選択する操作入力が行われると、選択された配置に対応する出席者の個人情報を表示部３ｂに表示させる。これにより、出席者Ｈは、所望の出席者Ａ１〜Ａ３の個人情報を即座に見ることができるようになる。
【００２７】
なお、個人情報に対して、第１の実施の形態のように出席者Ａ１〜Ａ３，Ｈの位置情報を対応付けるだけに限らず、携帯端末３の傾斜角度を対応付けることもできる。この場合には、個人情報ごとに基準角度位置から当該個人情報に対応する出席者の配置までの携帯端末３の傾斜角度を表す角度情報を対応付ける。そして、携帯端末３が備える方位検知部（図示を省略）が携帯端末３の傾斜角度を検知すると、表示制御部３ｄは、当該傾斜角度に対応する出席者の個人情報を表示させることができる。
【００２８】
また、個人情報に対して、出席者Ａ１〜Ａ３の音声情報を対応付けることもできる。この場合には、出席者の個人情報ごとに当該出席者の音声を表す音声情報（声紋情報）を対応付ける。そして、表示制御部３ｄが、出席者が備える集音部（図示を省略）が集音した出席者の音声情報（声紋情報）に対応する個人情報を表示部３ｂに表示させることができる。
【００２９】
いずれの場合も、第１の実施の形態と同様に携帯端末３は、所望の出席者の個人情報を即座に表示することができるようになる。
上記の例について、以下の実施の形態でより詳細に説明する。
【００３０】
［第２の実施の形態］
第２の実施の形態では、出席者の個人情報に対して位置情報を対応付けた場合について詳細に説明する。
【００３１】
まず、個人情報表示システム及び個人情報表示システムの個人情報管理装置のハードウェア構成例について図３を用いて説明する。
図３は、第２の実施の形態に係る個人情報表示システム及び個人情報表示システムの個人情報管理装置のハードウェア構成例を示す図である。
【００３２】
個人情報表示システム１００は、個人情報管理装置２００及び携帯端末３００を備える。
個人情報管理装置２００は、制御ユニット２１０と、制御ユニット２１０によってそれぞれ制御される表示ユニット２２０、無線通信部２３０、ＲＦＩＤ検知部２４０を有する。
【００３３】
制御ユニット２１０は、ＣＰＵ（Central Processing Unit）２１０ａによって装置全体が制御されている。ＣＰＵ２１０ａには、バス２１０ｇを介してＲＡＭ（Random Access Memory）２１０ｂ、ＨＤＤ（Hard Disk Drive）２１０ｃ、グラフィック処理部２１０ｄ、通信制御部２１０ｅ、入出力インタフェース２１０ｆがそれぞれ接続されている。
【００３４】
ＲＡＭ２１０ｂには、ＣＰＵ２１０ａに実行させるＯＳ（Operating System）のプログラム及びアプリケーションプログラムの少なくとも一部が一時的に格納される。また、ＲＡＭ２１０ｂには、ＣＰＵ２１０ａによる処理に必要な各種情報及び処理の過程で生成される各種情報が格納される。
【００３５】
ＨＤＤ２１０ｃには、ＯＳやアプリケーション及びアプリケーションが扱うデータが格納される。ＨＤＤ２１０ｃには、ＣＰＵ２１０ａによる処理に必要な各種データが格納される。ＨＤＤ２１０ｃは、個人情報等を格納して保持する。
【００３６】
グラフィック処理部２１０ｄには、表示ユニット２２０の表示部２２１が接続されている。グラフィック処理部２１０ｄは、ＣＰＵ２１０ａからの命令に従って、画像を表示部２２１の画面に表示させる。
【００３７】
通信制御部２１０ｅは、無線通信部２３０と接続されており、無線通信部２３０を介して、携帯端末３００に対して情報の送受信を行う。
入出力インタフェース２１０ｆは、外部装置からのデータの入力を受け付けるインタフェースである。入出力インタフェース２１０ｆには、表示ユニット２２０の入力検知部２２２及びＲＦＩＤ検知部２４０が接続されている。入出力インタフェース２１０ｆは、入力検知部２２２及びＲＦＩＤ検知部２４０から送られてくる信号をＣＰＵ２１０ａに出力する。
【００３８】
表示ユニット２２０は、グラフィック処理部２１０ｄ及び入出力インタフェース２１０ｆにそれぞれ接続されている表示部２２１と入力検知部２２２とを備える。
表示部２２１は、グラフィック処理部２１０ｄからの画面情報に基づいて画面を表示する。
【００３９】
入力検知部２２２は、表示部２２１が表示する画面に対する出席者のタッチによる操作入力を検知する、例えば、タッチパネルである。なお、入力検知部２２２が検知した画面のタッチに応じて制御ユニット２１０のＣＰＵ２１０ａで実行される。
【００４０】
また、無線通信部２３０は、種々の情報を携帯端末３００に対して通知する。
ＲＦＩＤ検知部２４０は、携帯端末３００に付されたＲＦＩＤタグ部（図示を省略）が記録するＲＦＩＤ識別情報を検知する。
【００４１】
次いで、個人情報表示システム１００の携帯端末３００のハードウェア構成例について図４を用いて説明する。
図４は、第２の実施の形態に係る個人情報表示システムの携帯端末のハードウェア構成例を示す図である。
【００４２】
携帯端末３００も、制御ユニット３１０と、制御ユニット３１０によってそれぞれ制御される表示ユニット３２０、無線通信部３３０を備える。
制御ユニット３１０は、ＣＰＵ３１０ａによって装置全体が制御されている。ＣＰＵ３１０ａには、バス３１０ｇを介してＲＡＭ３１０ｂ、ＨＤＤ３１０ｃ、グラフィック処理部３１０ｄ、通信制御部３１０ｅ、入出力インタフェース３１０ｆがそれぞれ接続されている。ＨＤＤ３１０ｃも、個人情報等を格納して保持する。携帯端末３００の所有者本人の個人情報については事前に保持させるようにする。
【００４３】
入出力インタフェース３１０ｆは、撮影するカメラ部３４０と、集音するマイク部３５０、携帯端末３００の傾斜角度を検知する方位検知部３６０を備える。入出力インタフェース３１０ｆは、カメラ部３４０と、マイク部３５０、方位検知部３６０から送られてくる信号をＣＰＵ３１０ａに出力する。
【００４４】
表示ユニット３２０は、グラフィック処理部３１０ｄに接続されており、表示部３２１と入力検知部３２２とを備える。
無線通信部３３０は、様々な情報を個人情報管理装置２００に対して通知する。また、無線通信部３３０は、携帯端末３００間の情報の送受信を行う。
【００４５】
また、携帯端末３００には、ＲＦＩＤタグ部３７０が付されており、ＲＦＩＤタグ部３７０には、ＲＦＩＤ識別情報が記録されている。
次に、このような個人情報表示システム１００が配置された室５００について図５を用いて説明する。
【００４６】
図５は、第２の実施の形態に係る個人情報表示システムが設置された配置図の一例を示す図である。なお、図５は、室５００の上面の配置図を模式的に示しており、出席者は丸で表している。また、図中横方向をＸ軸、縦方向をＹ軸、垂直方向をＺ軸とする。
【００４７】
室５００内に設置されたテーブル４１０に対して、図５に示すように、出席者Ａ１〜Ａ４，Ｂ１〜Ｂ４が配置されている。また、室５００内の四隅にはＲＦＩＤ検知部２４０のアンテナ２４０ａ〜２４０ｄがそれぞれ設置され、また、無線通信部２３０が壁側に設定されている。
【００４８】
次に、このような個人情報表示システム１００を利用した個人情報表示方法について説明する。なお、第２〜第６の実施の形態では、特に断りが無い限り、出席者Ａ２の携帯端末３００の所有者本人について、当該「本人」の携帯端末３００での処理等について説明する。
【００４９】
まず、携帯端末３００の個人情報保持部について図６を用いて説明する。
図６は、第２の実施の形態に係る個人情報管理装置及び携帯端末の個人情報保持部の情報を示す図である。
【００５０】
携帯端末３００は、既述の通り、個人情報等を保持する個人情報保持部を有しており、初期状態では、携帯端末３００の所有者本人の個人情報が格納されている。
例えば、出席者Ａ２の場合であれば、携帯端末３００の個人情報保持部３１１には、図６に示すように、ＲＦＩＤ識別情報、個人情報のみが格納されている。
【００５１】
なお、個人情報は、例えば、「氏名」と、「会社名」、「役職」、「部署」、「電話」、「メール」、「画像（リンク先）」、「性別（「０」は男性を、「１」は女性をそれぞれ表す）」を含んでいる。
【００５２】
また、個人情報管理装置２００も、同様に、個人情報等を保持する個人情報保持部２１１を有している。なお、個人情報管理装置２００の場合は、その初期状態では、個人情報保持部２１１内には何も保持されていない。
【００５３】
次いで、出席者Ａ１〜Ａ４，Ｂ１〜Ｂ４同士の携帯端末３００を利用した個人情報交換処理（名刺交換）について図７を用いて説明する。
図７は、第２の実施の形態に係る個人情報表示システムの携帯端末間の個人情報交換処理を実行するためのフローチャートである。
【００５４】
携帯端末３００は個人情報交換処理を実行すると、無線通信部３３０により、例えば、赤外線通信を開始する。
［ステップＳ１１］  携帯端末３００は無線通信部３３０により、他の携帯端末３００に対してＲＦＩＤ識別情報、個人情報の送受信を行う。携帯端末３００は他の携帯端末３００のＲＦＩＤ識別情報、個人情報を取得する。
【００５５】
［ステップＳ１２］  携帯端末３００は、他の携帯端末３００の所有者の顔写真を撮影し、その画像情報を取得する。
なお、ステップＳ１２の処理は任意（個人情報に「画像」が含まれていない場合等）に実行される。
【００５６】
［ステップＳ１３］  携帯端末３００は、ステップＳ１１，Ｓ１２で取得したＲＦＩＤ識別情報、個人情報を個人情報保持部３１１に格納する。
［ステップＳ１４］  携帯端末３００は、全出席者との個人情報等の交換を完了したことの操作入力を受け付けるとステップＳ１５の処理に進められる。
【００５７】
全出席者との個人情報等の交換が完了していない場合には、再び、ステップＳ１１の処理に進められて、別の携帯端末３００と個人情報等の送受信を行う。
［ステップＳ１５］  携帯端末３００は、所有者本人のＲＦＩＤ識別情報、個人情報を個人情報管理装置２００に通知する。
【００５８】
このような処理が完了すると、携帯端末３００の個人情報保持部３１１には、図６に示すように、出席者Ａ１〜Ａ４，Ｂ１〜Ｂ４のＲＦＩＤ識別情報及び個人情報が格納される。
【００５９】
次に、個人情報管理装置２００における個人情報取得処理及び位置情報算出処理について図８を用いて説明する。
図８は、第２の実施の形態に係る個人情報表示システムの個人情報管理装置の個人情報取得処理及び位置情報算出処理を実行するためのフローチャートである。なお、図８（Ａ）は、個人情報管理装置２００の個人情報取得処理、図８（Ｂ）は、個人情報管理装置２００の位置情報算出処理のフローチャートをそれぞれ表している。
【００６０】
個人情報管理装置２００は、図７のステップＳ１５の処理に基づき、各携帯端末３００から通知された個人情報等を受信すると、図８（Ａ）の処理を以下のように実行する。
［ステップＳ２１］  個人情報管理装置２００は、携帯端末３００から受信した個人情報等を取得する。
【００６１】
［ステップＳ２２］  個人情報管理装置２００は、ステップＳ２１で取得した個人情報等を個人情報保持部２１１に格納する。
［ステップＳ２３］  個人情報管理装置２００は、他の携帯端末３００から個人情報等を受信した場合には、ステップＳ２１の処理に進められて、再び、個人情報等を取得する。受信しない場合には、個人情報取得処理が終了する。
【００６２】
このような処理が完了すると、個人情報管理装置２００の個人情報保持部２１１には、携帯端末３００と同様、図６に示すように、出席者Ａ１〜Ａ４，Ｂ１〜Ｂ４のＲＦＩＤ識別情報及び個人情報が格納される。
【００６３】
また、個人情報管理装置２００は、ＲＦＩＤ検知部２４０により、室５００（図５）内の携帯端末３００に付されているＲＦＩＤタグ部３７０の検知を開始して、図８（Ｂ）の処理を以下のように実行する。
【００６４】
［ステップＳ３１］  個人情報管理装置２００は、検知したＲＦＩＤタグ部３７０のＲＦＩＤ識別情報を取得する。
［ステップＳ３２］  個人情報管理装置２００は、アンテナ２４０ａ〜２４０ｄからＲＦＩＤタグ部３７０までのそれぞれの距離を算出し、当該距離に基づき、ＲＦＩＤタグ部３７０の位置を算出する。
【００６５】
個人情報管理装置２００は、このようにして算出したＲＦＩＤタグ部３７０の位置情報を、個人情報保持部２１１のステップＳ３１で取得したＲＦＩＤ識別情報に対応する位置情報（図６参照）に格納する。
【００６６】
［ステップＳ３３］  個人情報管理装置２００は、個人情報保持部２１１を参照して、既に格納してある個人情報等に対して位置情報が全て格納されているか否かを判定する。位置情報が全て格納されていない場合にはステップＳ３１の処理に再び進められ、全て格納されている場合には位置情報算出処理を終了する。
【００６７】
なお、個人情報管理装置２００は、ＲＦＩＤ検知部２４０によるＲＦＩＤタグ部３７０の検知を常に実行するようにしておき、出席者Ａ１〜Ａ４，Ｂ１〜Ｂ４の配置が変更しても変更後の位置情報を算出する。
【００６８】
次いで、このようにして位置情報が格納された個人情報管理装置２００の個人情報保持部２１１について図９を用いて説明する。
図９は、第２の実施の形態に係る個人情報管理装置及び携帯端末の個人情報保持部の情報を示す図である。
【００６９】
個人情報管理装置２００の個人情報保持部２１１には、図８（Ｂ）の処理が完了すると、図９に示すように、出席者Ａ１〜Ａ４，Ｂ１〜Ｂ４の携帯端末３００のＲＦＩＤタグ部３７０の位置情報がそれぞれ格納される。
【００７０】
このようにして個人情報管理装置２００の個人情報保持部２１１に対する情報の格納が完了すると、携帯端末３００では、個人情報表示処理を実行することができる。
次に、携帯端末３００による配置図表示処理及び個人情報表示処理について図１０及び図１１を用いて説明する。
【００７１】
図１０は、第２の実施の形態に係る個人情報表示システムの携帯端末の配置図表示処理及び個人情報表示処理を実行するためのフローチャートである。なお、図１０（Ａ）は、携帯端末３００の配置図表示処理、図１０（Ｂ）は個人情報表示処理のフローチャートをそれぞれ表している。
【００７２】
図１１は、第２の実施の形態に係る個人情報表示システムの携帯端末が表示する配置図及び個人情報を模式的に示す図である。なお、図１１（Ａ）は、出席者Ａ１〜Ａ４，Ｂ１〜Ｂ４の配置図、図１１（Ｂ）は、個人情報が表示部３２１にそれぞれ表示された場合を示している。
【００７３】
出席者Ａ２からの携帯端末３００に対する処理開始の操作入力に基づき、携帯端末３００は、図１０（Ａ）の処理を以下のように実行する。
［ステップＳ４１］  携帯端末３００は、個人情報管理装置２００に対して、位置情報等の送信要求を行い、個人情報管理装置２００から、出席者Ａ１〜Ａ４，Ｂ１〜Ｂ４に対応する位置情報及び当該位置情報に対応するＲＦＩＤ識別情報を取得する。
【００７４】
［ステップＳ４２］  携帯端末３００は、ステップＳ４１で取得した位置情報をＲＦＩＤ識別情報に対応する個人情報保持部３１１の位置情報にそれぞれ格納する。
なお、ステップＳ４２の処理により、携帯端末３００の個人情報保持部３１１には、図９に示すように、出席者Ａ１〜Ａ４，Ｂ１〜Ｂ４の携帯端末３００のＲＦＩＤタグ部３７０の位置情報がそれぞれ格納される。
【００７５】
［ステップＳ４３］  携帯端末３００は、個人情報保持部３１１に格納した位置情報に基づき出席者Ａ１〜Ａ４，Ｂ１〜Ｂ４の配置図を表示部３２１に表示する。
例えば、携帯端末３００の表示部３２１に、図１１（Ａ）に示すように、出席者Ａ１〜Ａ４，Ｂ１〜Ｂ４の配置が表示される。なお、出席者Ａ２の携帯端末３００では、出席者Ａ２に星印が表示される。表示部３２１の右下に表示されているクローズボタン３２１ａがタッチされると、配置図の表示が終了する。また、表示部３２１の左上に表示されているリロードボタン３２１ｂがタッチされると、配置図表示処理が再びステップＳ４１から開始され、出席者Ａ１〜Ａ４，Ｂ１〜Ｂ４の位置情報等の再読み込みが実行される。
【００７６】
［ステップＳ４４］  携帯端末３００は、表示部３２１のクローズボタン３２１ａに対するタッチを受け付けたか否かを判定する。携帯端末３００は、クローズボタン３２１ａのタッチを受け付けるとステップＳ４５の処理を実行する。
【００７７】
［ステップＳ４５］  携帯端末３００は、表示部３２１に対する配置図の表示を終了する。
また、携帯端末３００は、表示部３２１に配置図を表示している間に、表示部３２１の出席者の配置に対するタッチを受け付けると、図１０（Ｂ）の処理を以下のように実行する。
【００７８】
［ステップＳ５１］  携帯端末３００は、個人情報保持部３１１を参照して、表示部３２１に表示するタッチを受け付けた配置図の位置情報に対応する出席者の個人情報を取得する。
【００７９】
例えば、携帯端末３００は、図１１（Ａ）に示す、出席者Ｂ２に対するタッチを受け付けると、位置情報（ｂ２２）に対応する個人情報（ｂ２３〜ｂ２９，０）（図９参照）を取得する。
【００８０】
［ステップＳ５２］  携帯端末３００は、ステップＳ５１で取得した個人情報を表示部３２１に表示する。
例えば、携帯端末３００は、図１１（Ｂ）に示すように、出席者Ｂ２の個人情報が記載されたウィンドウ３２１ｃを表示部３２１に表示する。なお、携帯端末３００は、ウィンドウ３２１ｃの右上に表示されているクローズボタン３２１ｃ１がタッチされると、個人情報を表示するウィンドウ３２１ｃの表示を終了する。
【００８１】
［ステップＳ５３］  携帯端末３００は、ウィンドウ３２１ｃのクローズボタン３２１ｃ１に対するタッチを受け付けたか否かを判定する。携帯端末３００は、クローズボタン３２１ｃ１のタッチを受け付けるとステップＳ５４の処理を実行する。
【００８２】
［ステップＳ５４］  携帯端末３００は、配置図に対するウィンドウ３２１ｃの表示を終了する。
例えば、携帯端末３００は、ウィンドウ３２１ｃの表示を終了すると、再び、図１１（Ａ）に示すように、表示部３２１には配置図のみが表示される。
【００８３】
このように、個人情報表示システム１００では、携帯端末３００が、出席者Ａ１〜Ａ４，Ｂ１〜Ｂ４の個人情報に、個人情報管理装置２００が算出及び通知した出席者Ａ１〜Ａ４，Ｂ１〜Ｂ４の位置情報を対応付けて保持する。携帯端末３００は、表示部３２１に、位置情報に基づき出席者の配置を表示させる。そして、携帯端末３００は、表示部３２１が表示する出席者の配置を選択する操作入力を受け付けると、選択された配置に対応する出席者の個人情報が記載されたウィンドウ３２１ｃを表示部３２１に表示させる。これにより、出席者Ａ２は、所望の出席者Ａ１〜Ａ４，Ｂ１〜Ｂ４の個人情報を即座に見ることができるようになる。
【００８４】
［第３の実施の形態］
第３の実施の形態では、第２の実施の形態の個人情報に対して、さらに、携帯端末３００の出席者の位置に応じた傾斜角度を対応付けた場合を例に挙げて説明する。
【００８５】
なお、第３の実施の形態でも、個人情報表示システム１００の個人情報管理装置２００（図３）及び携帯端末３００（図４）を用いる。
まず、個人情報表示システム１００が配置された室５００について図１２を用いて説明する。
【００８６】
図１２は、第３の実施の形態に係る個人情報表示システムが設置された配置図の一例を示す図である。なお、図１２は、図５と同様に図中横方向をＸ軸、縦方向をＹ軸、垂直方向をＺ軸とする。
【００８７】
第３の実施の形態でも、第２の実施の形態の室５００と同様に個人情報表示システム１００が設置されている。
一方、第３の実施の形態では、例えば、出席者Ａ２の携帯端末３００をその短手方向が図１２中のようにテーブル４１０の長手方向に対して垂直（短手方向が線ａと平行になるよう）に載置した場合には出席者Ｂ２の個人情報を表示する。また、携帯端末３００の短手方向を傾斜して線ｂ，ｃ，ｄに略平行に載置した場合には出席者Ｂ３，Ｂ４，Ｂ１の個人情報をそれぞれ表示部３２１に表示することができるものである。
【００８８】
次に、個人情報表示システム１００を利用したこのような個人情報表示方法について説明する。
また、第３の実施の形態でも、第２の実施の形態と同様に、図７及び図８（Ａ）の処理により、個人情報が携帯端末３００の個人情報保持部３１１及び個人情報管理装置２００の個人情報保持部２１２（後述）に格納される。
【００８９】
次いで、出席者の個人情報に、携帯端末３００の傾斜角度を対応させる処理について説明する。
まず、携帯端末３００による基準角度設定処理について図１３を用いて説明する。
【００９０】
図１３は、第３の実施の形態に係る個人情報表示システムの携帯端末の基準角度設定処理を実行するためのフローチャートである。
［ステップＳ６１］  携帯端末３００は、出席者Ａ２により任意の位置に傾斜させられると、方位検知部３６０により、当該傾斜角度を検知する。
【００９１】
例えば、図１２に示したように、携帯端末３００が、その短手方向がテーブル４１０の長手方向に対して垂直（線ａと平行）になるような位置に傾斜させられて、方位検知部３６０がこの位置を検知する。
【００９２】
［ステップＳ６２］  携帯端末３００は、ステップＳ６１での傾斜角度の設定の操作入力を出席者Ａ２により受け付けると、検知した傾斜角度を基準角度位置に設定する。
例えば、図１２に示す携帯端末３００の短手方向がテーブル４１０の長手方向に対して垂直（線ａと平行）になる傾斜位置で、出席者Ａ２から基準角度位置の設定の操作入力を受け付けると、携帯端末３００は、当該傾斜角度を基準角度位置に設定する。
【００９３】
［ステップＳ６３］  携帯端末３００は、ステップＳ６２で設定された基準角度位置を個人情報管理装置２００に通知する。
次いで、個人情報管理装置２００の位置・角度情報算出処理について図１４を用いて説明する。
【００９４】
図１４は、第３の実施の形態に係る個人情報表示システムの個人情報管理装置の位置・角度情報算出処理を実行するためのフローチャートである。
［ステップＳ７１〜Ｓ７３］  個人情報管理装置２００は、ステップＳ３１〜Ｓ３３（図８（Ｂ））と同様の処理を実行して、位置情報を個人情報保持部２１２（後述）に格納する。
【００９５】
［ステップＳ７４］  個人情報管理装置２００は、ステップＳ６３で携帯端末３００から通知された基準角度位置とステップＳ７２で格納した位置情報とを用いて、出席者Ａ２と他の出席者との角度を算出し、個人情報保持部２１２に格納する。
【００９６】
［ステップＳ７５］  個人情報管理装置２００は、全出席者との角度を算出した場合に位置・角度算出処理を終了し、全出席者との角度を算出していない場合には、ステップＳ７４の処理を再び実行する。
【００９７】
このような処理により、個人情報管理装置２００の個人情報保持部２１２に格納された情報について図１５を用いて説明する。
図１５は、第３の実施の形態に係る個人情報管理装置及び携帯端末の個人情報保持部の情報を示す図である。
【００９８】
個人情報保持部２１２には、図９で説明したＲＦＩＤ識別情報、位置情報、個人情報に加えて、角度情報が追加される。なお、基準マークは、設定（「１」が入力）されている出席者を基準としていることを表している。
【００９９】
次に、携帯端末３００による個人情報表示処理、個人情報管理装置２００による角度情報照会処理について図１６及び図１７を用いて説明する。
図１６は、第３の実施の形態に係る個人情報表示システムの携帯端末の個人情報表示処理及び個人情報管理装置の角度情報照会処理を実行するためのフローチャートである。
【０１００】
図１７は、第３の実施の形態に係る個人情報表示システムの携帯端末が表示する配置図及び個人情報を模式的に示す図である。なお、図１７（Ａ）は、出席者Ａ１〜Ａ４，Ｂ１〜Ｂ４の配置図、図１７（Ｂ）は、個人情報が表示部３２１にそれぞれ表示された場合を示している。
【０１０１】
出席者Ａ２は、所望の出席者（出席者Ｂ３）の個人情報を携帯端末３００に表示させるために、携帯端末３００を当該出席者に向けて傾斜させると、携帯端末３００は以下の処理を実行する。
【０１０２】
［ステップＳ８１］  携帯端末３００は、出席者Ａ２により所望の出席者に対応する角度まで傾斜されると、方位検知部３６０は、傾斜角度を検知する。
［ステップＳ８２］  携帯端末３００は、ステップＳ８１で検知した傾斜角度を、基準角度位置を基準とした角度に補正し、当該角度情報を個人情報管理装置２００に通知する。
【０１０３】
例えば、携帯端末３００は表示部３２１に配置図を表示する際に、図１７（Ａ）に示すように、基準角度位置を表す基準補助線３２１ｆ１を表示する。また、携帯端末３００が傾斜されると、方位検知部３６０によって検知された傾斜角度が反映されて、携帯端末３００の傾斜を表す傾斜補助線３２１ｆ２と共に「携帯端末３００」も傾斜して表示部３２１に表示する。
【０１０４】
出席者Ａ２は、基準補助線３２１ｆ１に対する傾斜補助線３２１ｆ２を視認しながら携帯端末３００を傾斜する。そして、傾斜補助線３２１ｆ２が、例えば、出席者Ｂ３の位置になるとその位置で携帯端末３００の傾斜を停止する。すると、携帯端末３００から基準補助線３２１ｆ１から傾斜補助線３２１ｆ２までの角度情報が個人情報管理装置２００に通知される。
【０１０５】
［ステップＳ９１］  個人情報管理装置２００は、携帯端末３００から角度情報の通知を待ち受ける。当該角度情報が通知されると、ステップＳ９２の処理を開始する。
［ステップＳ９２］  個人情報管理装置２００は、個人情報保持部２１２を参照して、携帯端末３００から通知された角度情報を照会する。
【０１０６】
［ステップＳ９３］  個人情報管理装置２００は、個人情報保持部２１２内に、通知された角度情報の有無を判定する。
通知された角度情報がある場合にはステップＳ９４の処理に進められ、ない場合にはステップＳ９１の処理に進められ再び角度情報が通知されるのを待ち受ける。
【０１０７】
［ステップＳ９４］  個人情報管理装置２００は、個人情報保持部２１２を参照して、通知された角度情報に対応するＲＦＩＤ識別情報を携帯端末３００に通知する。
［ステップＳ８３］  携帯端末３００は、ＲＦＩＤ識別情報の通知を待ち受けて、ＲＦＩＤ識別情報が通知されると、ステップＳ８４の処理を実行する。
【０１０８】
［ステップＳ８４］  携帯端末３００は、個人情報保持部３１１を参照して、通知されたＲＦＩＤ識別情報に対応する個人情報を表示部３２１に表示する。
例えば、携帯端末３００は、図１７（Ｂ）に示すように、出席者Ｂ３の個人情報が記載されたウィンドウ３２１ｃを表示部３２１に表示する。
【０１０９】
［ステップＳ８５］  携帯端末３００は、ウィンドウ３２１ｃのクローズボタン３２１ｃ１のタッチを受け付けたか否かを判定する。クローズボタン３２１ｃ１のタッチを受け付けるとステップＳ８６の処理を実行する。
【０１１０】
［ステップＳ８６］  携帯端末３００は、配置図に対するウィンドウ３２１ｃの表示を終了する。
例えば、携帯端末３００は、ウィンドウ３２１ｃの表示を終了すると、表示部３２１には配置図のみが表示される。
【０１１１】
このように、個人情報表示システム１００では、携帯端末３００が、出席者Ａ１〜Ａ４，Ｂ１〜Ｂ４の個人情報に、出席者Ａ１〜Ａ４，Ｂ１〜Ｂ４に対応する携帯端末３００の傾斜角度を対応付けて保持する。携帯端末３００は、方位検知部３６０が自身の傾斜角度を検知して、検知した傾斜角度に対応付けた個人情報を表示部３２１に表示させる。これにより、出席者Ａ２は、所望の出席者Ａ１〜Ａ４，Ｂ１〜Ｂ４の個人情報を即座に見ることができるようになる。
【０１１２】
なお、第３の実施の形態では、携帯端末３００の傾斜角度だけでなく、第２の実施の形態と同様にして、表示部３２１に表示する配置図をタッチして個人情報を表示することも可能である。
【０１１３】
また、例えば、図１２において、出席者Ａ３，Ａ４に対する携帯端末３００を傾斜角度はいずれも同じ角度なる。このように１つの傾斜角度に対応付けられた個人情報が複数ある場合には、全てを表示するようにしても構わない。
【０１１４】
［第４の実施の形態］
第４の実施の形態では、携帯端末３００側に第３の実施の形態の角度情報を格納する場合を例に挙げて説明する。
【０１１５】
この場合、個人情報管理装置２００は、図１４の位置・角度情報算出処理の終了後、ＲＦＩＤ識別情報及び角度情報を携帯端末３００に通知する。
携帯端末３００は、個人情報管理装置２００から、個人情報保持部２１２の各ＲＦＩＤ識別情報及び位置情報を取得する。取得した角度情報をＲＦＩＤ識別情報に対応する個人情報保持部３１２の角度情報にそれぞれ格納する。
【０１１６】
なお、携帯端末３００の個人情報保持部３１２には、図１５に示すように、角度情報がそれぞれ格納される。
このようにして角度情報を格納した携帯端末３００による個人情報表示処理について図１８（及び図１７）を用いて説明する。
【０１１７】
図１８は、第４の実施の形態に係る個人情報表示システムの携帯端末の個人情報表示処理を実行するためのフローチャートである。
出席者Ａ２は、所望の出席者（出席者Ｂ３）の個人情報を携帯端末３００に表示させるために、携帯端末３００を当該出席者に向けて傾斜させると、携帯端末３００は以下の処理を実行する。
【０１１８】
［ステップＳ１０１］  携帯端末３００は、ステップＳ８１と同様に、傾斜角度を検知する。
［ステップＳ１０２］  携帯端末３００は、ステップＳ１０１で検知した傾斜角度を基準角度に基づき補正し、個人情報保持部３１２を参照して、補正した角度情報を照会する。
【０１１９】
［ステップＳ１０３］  携帯端末３００は、個人情報保持部３１２内に、補正した角度情報の有無を判定する。
角度情報がある場合にはステップＳ１０４の処理を実行し、ない場合にはステップＳ１０１に進められ再び傾斜角度の検知を行う。
【０１２０】
［ステップＳ１０４］  携帯端末３００は、ステップＳ１０３で照会した角度情報に対応する個人情報を表示部３２１に表示する。
例えば、ステップＳ８４（図１６）の場合と同様に、携帯端末３００は、図１７（Ｂ）に示すように、出席者Ｂ３の個人情報が記載されたウィンドウ３２１ｃを表示部３２１に表示する。
【０１２１】
［ステップＳ１０５］  携帯端末３００は、ウィンドウ３２１ｃのクローズボタン３２１ｃ１のタッチを受け付けたか否かを判定する。クローズボタン３２１ｃ１のタッチを受け付けるとステップＳ１０６の処理に進められる。
【０１２２】
［ステップＳ１０６］  携帯端末３００は、配置図に対するウィンドウ３２１ｃの表示を終了する。
このようにしても、第３の実施の形態と同様に、個人情報表示システム１００では、携帯端末３００が、出席者Ａ１〜Ａ４，Ｂ１〜Ｂ４の個人情報に、出席者Ａ１〜Ａ４，Ｂ１〜Ｂ４に対応する携帯端末３００の傾斜角度を対応付けて保持する。携帯端末３００は、方位検知部３６０が自身の傾斜角度を検知して、検知した傾斜角度に対応付けた個人情報を表示部３２１に表示させる。これにより、出席者Ａ２は、所望の出席者Ａ１〜Ａ４，Ｂ１〜Ｂ４の個人情報を即座に見ることができるようになる。
【０１２３】
［第５の実施の形態］
第５の実施の形態は、出席者の個人情報に、当該出席者の音声情報を対応付けた場合を例に挙げて説明する。
【０１２４】
なお、第５の実施の形態では、個人情報表示システム１００の個人情報管理装置２００（図３）及び携帯端末３００（図４）を用いる。但し、第５の実施の形態では、ＲＦＩＤタグ部を利用しないため、携帯端末３００には、ＲＦＩＤタグ部３７０は付されていないものとする。
【０１２５】
まず、出席者Ａ１〜Ａ４，Ｂ１〜Ｂ４同士の携帯端末３００を利用した個人情報交換処理（名刺交換）について図１９を用いて説明する。
図１９は、第５の実施の形態に係る個人情報表示システムの携帯端末間の個人情報交換処理を実行するためのフローチャートである。
【０１２６】
なお、携帯端末３００の個人情報保持部３１３（後述）には、識別情報と、所有者本人の個人情報とが予め格納されている。
携帯端末３００は個人情報交換処理を実行すると、無線通信部３３０により、例えば、赤外線通信を開始する。
【０１２７】
［ステップＳ１１１］  携帯端末３００は、初期設定として、マイク部３５０により、当該携帯端末３００の所有者本人の声（自音声）を受け付けて録音する。
これにより、個人情報保持部３１３（後述）には、音声情報が格納される。
【０１２８】
［ステップＳ１１２］  携帯端末３００は無線通信部３３０により、他の携帯端末３００に対して識別情報、個人情報の送受信を行う。携帯端末３００は他の携帯端末３００の識別情報、個人情報を取得する。
【０１２９】
［ステップＳ１１３］  携帯端末３００は、他の携帯端末３００の所有者の顔写真を撮影し、その画像情報を取得する。
なお、ステップＳ１１３の処理は任意（個人情報に「画像」が含まれていない場合等）に実行される。
【０１３０】
［ステップＳ１１４］  携帯端末３００は、ステップＳ１１２，Ｓ１１３で取得した他の携帯端末３００からの識別情報、個人情報を個人情報保持部３１３（後述）に格納する。
【０１３１】
［ステップＳ１１５］  携帯端末３００は、全出席者との個人情報等の交換を完了したことの操作入力を受け付けるとステップＳ１１６の処理を実行する。
全出席者との個人情報等の交換が完了していない場合には、再び、ステップＳ１１２の処理に進められて、他の携帯端末３００と個人情報等の送受信を行う。
【０１３２】
［ステップＳ１１６］  携帯端末３００は、所有者本人の識別情報、個人情報、音声情報を個人情報管理装置２００に通知する。
このような処理が完了すると、携帯端末３００の個人情報保持部３１３（後述）には、出席者Ａ１〜Ａ４，Ｂ１〜Ｂ４の識別情報及び個人情報が格納される。
【０１３３】
次に、個人情報管理装置２００の個人情報取得処理について図２０を用いて説明する。
図２０は、第５の実施の形態に係る個人情報表示システムの個人情報管理装置の個人情報取得処理を実行するためのフローチャートである。
【０１３４】
個人情報管理装置２００は、図１９のステップＳ１１６の処理に基づき、各携帯端末３００から通知された個人情報等を受信すると、図２０の処理を以下のように実行する。
［ステップＳ１２１］  個人情報管理装置２００は、各携帯端末３００から受信した個人情報等（識別情報、個人情報、音声情報）を取得する。
【０１３５】
［ステップＳ１２２］  個人情報管理装置２００は、ステップＳ１２１で取得した音声情報を声紋情報に変換する。
［ステップＳ１２３］  個人情報管理装置２００は、識別情報、個人情報及びステップＳ１２２で変換した声紋情報を個人情報保持部２１３（後述）に格納する。
【０１３６】
［ステップＳ１２４］  個人情報管理装置２００は、新たに、他の携帯端末３００から個人情報等を受信した場合には、ステップＳ１２１の処理を実行し、再び、個人情報等を取得する。受信しない場合には、個人情報取得処理を終了する。
【０１３７】
このような処理が完了した個人情報管理装置２００の個人情報保持部２１３について図２１を用いて説明する。
図２１は、第５の実施の形態に係る個人情報管理装置及び携帯端末の個人情報保持部の情報を示す図である。
【０１３８】
個人情報管理装置２００は、図２０の処理が終了すると、個人情報保持部２１３に、出席者Ａ１〜Ａ４，Ｂ１〜Ｂ４に関する、音声情報と声紋情報とを含む発話情報と、識別情報、個人情報が格納される。
【０１３９】
次に、携帯端末３００による個人情報表示処理、個人情報管理装置２００による音声照会処理について図２２及び図２３を用いて説明する。
図２２は、第５の実施の形態に係る個人情報表示システムの携帯端末の個人情報表示処理及び個人情報管理装置の音声照会処理を実行するためのフローチャートである。
【０１４０】
図２３は、第５の実施の形態に係る個人情報表示システムの携帯端末が表示する個人情報を模式的に示す図である。なお、図２３（Ａ）は、出席者Ａ１〜Ａ４，Ｂ１〜Ｂ４の誰も発話していない場合の表示例、図２３（Ｂ）は、個人情報の表示例をそれぞれを示している。
【０１４１】
［ステップＳ１３１］  携帯端末３００は、例えば、出席者Ａ２の手前のテーブル４１０上に載置されており、発話した出席者の声をマイク部３５０で集音して、音声情報を取得する。
【０１４２】
なお、携帯端末３００は、出席者の声の集音前の未集音状態では、表示部２２１に、単に、室５００内に在席する、例えば、図２３（Ａ）に示すように、出席者Ａ１〜Ａ４，Ｂ１〜Ｂ４を表すアイコンのみを表示する。
【０１４３】
［ステップＳ１３２］  携帯端末３００は、ステップＳ１３１で取得した音声情報に関する音声照会要求を個人情報管理装置２００に通知する。
［ステップＳ１４１］  個人情報管理装置２００は、携帯端末３００からの音声照会要求の通知を待ち受ける。当該音声照会要求が通知されると、ステップＳ１４２の処理を実行する。
【０１４４】
［ステップＳ１４２］  個人情報管理装置２００は、携帯端末３００から通知された音声情報を声紋情報に変換し、個人情報保持部２１３を参照して、当該声紋情報を照会する。
【０１４５】
［ステップＳ１４３］  個人情報管理装置２００は、個人情報保持部２１３内に、声紋情報の有無を判定する。
声紋情報がある場合にはステップＳ１４４の処理に進められ、ない場合にはステップＳ１４１の処理に進められ再び音声照会要求が通知されるのを待ち受ける。
【０１４６】
［ステップＳ１４４］  個人情報管理装置２００は、個人情報保持部２１３を参照して、声紋情報に対応する識別情報を携帯端末３００に通知する。
［ステップＳ１３３］  携帯端末３００は、識別情報の通知を待ち受けて、個人情報管理装置２００から識別情報が通知されると、ステップＳ１３４の処理を実行する。
【０１４７】
［ステップＳ１３４］  携帯端末３００は、個人情報保持部３１３を参照して、通知された識別情報に対応する個人情報を表示部３２１に表示する。
例えば、携帯端末３００は、図２３（Ｂ）に示すように、出席者Ｂ２の個人情報が記載されたウィンドウ３２１ｃを表示部３２１に表示する。
【０１４８】
［ステップＳ１３５］  携帯端末３００は、表示部３２１に表示するウィンドウ３２１ｃのクローズボタン３２１ｃ１のタッチを受け付けたか否かを判定する。クローズボタン３２１ｃ１のタッチを受け付けるとステップＳ１３６の処理を実行する。
【０１４９】
［ステップＳ１３６］  携帯端末３００は、表示部３２１のウィンドウ３２１ｃの表示を終了する。
例えば、携帯端末３００は、ウィンドウ３２１ｃの表示を終了すると、表示部３２１に図２３（Ａ）に示すように再び表示される。
【０１５０】
このように、個人情報表示システム１００では、携帯端末３００が、出席者Ａ１〜Ａ４，Ｂ１〜Ｂ４の個人情報に、出席者Ａ１〜Ａ４，Ｂ１〜Ｂ４の音声情報（声紋情報）を対応付けて保持する。携帯端末３００は、マイク部３５０が発話した出席者の音声情報（声紋情報）を取得して、取得した音声情報（声紋情報）に対応付けた個人情報を表示部３２１に表示させる。これにより、出席者Ａ２は、所望の出席者Ａ１〜Ａ４，Ｂ１〜Ｂ４の個人情報を即座に見ることができるようになる。
【０１５１】
［第６の実施の形態］
第６の実施の形態では、携帯端末３００側に第５の実施の形態の音声情報（声紋情報）を格納する場合を例に挙げて説明する。
【０１５２】
なお、第６の実施の形態でも、個人情報表示システム１００の個人情報管理装置２００（図３）及び携帯端末３００（図４）を用いる。但し、第５の実施の形態では、ＲＦＩＤタグ部を利用しないため、携帯端末３００には、ＲＦＩＤタグ部３７０は付されていないものとする。
【０１５３】
この場合、個人情報管理装置２００は、図２０の個人情報取得処理の終了後、識別情報及び音声情報（声紋情報）を携帯端末３００に通知する。
携帯端末３００は、個人情報管理装置２００から、個人情報保持部２１３の各識別情報及び音声情報（声紋情報）を取得する。取得した音声情報（声紋情報）を識別情報に対応する個人情報保持部３１３の音声情報（声紋情報）にそれぞれ格納する。
【０１５４】
なお、携帯端末３００の個人情報保持部３１３には、図２１に示すように、音声情報（声紋情報）がそれぞれ格納される。
このようにして音声情報を格納した携帯端末３００による個人情報表示処理について図２４を用いて説明する。
【０１５５】
図２４は、第６の実施の形態に係る個人情報表示システムの携帯端末の個人情報表示処理を実行するためのフローチャートである。
［ステップＳ１５１］  携帯端末３００は、例えば、出席者Ａ２の手前のテーブル４１０上に載置されており、発話した出席者の声をマイク部３５０で集音して、音声情報を取得する。
【０１５６】
［ステップＳ１５２］  携帯端末３００は、通知された音声情報を声紋情報に変換し、個人情報保持部３１３を参照して、当該声紋情報を照会する。
［ステップＳ１５３］  携帯端末３００は、個人情報保持部３１３内に、声紋情報の有無を判定する。
【０１５７】
声紋情報がある場合にはステップＳ１５４の処理を実行し、ない場合にはステップＳ１５１の処理を実行して再び音声情報の取得を行う。
［ステップＳ１５４］  携帯端末３００は、個人情報保持部３１３を参照して、通知された識別情報に対応する個人情報（が記載されたウィンドウ３２１ｃ）を表示部３２１に表示する。
【０１５８】
［ステップＳ１５５］  携帯端末３００は、表示部３２１に表示するウィンドウ３２１ｃのクローズボタン３２１ｃ１のタッチを受け付けたか否かを判定する。クローズボタン３２１ｃ１のタッチを受け付けるとステップＳ１５６の処理を実行する。
【０１５９】
［ステップＳ１５６］  携帯端末３００は、表示部３２１のウィンドウ３２１ｃの表示を終了する。
このようにして、個人情報表示システム１００では、携帯端末３００が、出席者Ａ１〜Ａ４，Ｂ１〜Ｂ４の個人情報に、出席者Ａ１〜Ａ４，Ｂ１〜Ｂ４の音声情報を対応付けて保持する。携帯端末３００は、マイク部３５０が発話した出席者の音声情報を取得して、取得した音声情報に対応付けた個人情報を表示部３２１に表示させる。これにより、出席者Ａ２は、所望の出席者Ａ１〜Ａ４，Ｂ１〜Ｂ４の個人情報を即座に見ることができるようになる。
【０１６０】
［第７の実施の形態］
第７の実施の形態では、個人情報に対して、第５，６の実施の形態の音声情報（声紋情報）だけではなく、位置情報を対応付けた場合を例に挙げて説明する。
【０１６１】
なお、第７の実施の形態では、個人情報表示システム１００の個人情報管理装置２００（図３）及び携帯端末３００（図４）を用いる（ＲＦＩＤタグ部３７０を利用する）。
まず、携帯端末３００は、図７のフローチャートに従って、出席者Ａ１〜Ａ４，Ｂ１〜Ｂ４同士の個人情報を取得して、個人情報保持部３１４（後述）に保持する。但し、予め、携帯端末３００は、初期設定として、マイク部３５０により、当該携帯端末３００の所有者本人の声（自音声）を受け付けて録音しておく。そして、携帯端末３００は、自身に関する個人情報と、ＲＦＩＤ識別情報、音声情報を個人情報管理装置２００に通知する。
【０１６２】
次いで、個人情報管理装置２００は、図８（Ａ）のフローチャートに従って、出席者Ａ１〜Ａ４，Ｂ１〜Ｂ４の個人情報と、ＲＦＩＤ識別情報、音声情報を取得して、個人情報保持部２１４（後述）に保持する。但し、個人情報管理装置２００は、音声情報を声紋情報に変換して個人情報保持部２１４に保持させる。
【０１６３】
さらに、個人情報管理装置２００は、図８（Ｂ）のフローチャートに従って、各携帯端末３００のＲＦＩＤタグ部３７０のＲＦＩＤ識別情報を取得して、ＲＦＩＤタグ部３７０の位置情報を算出し、個人情報保持部２１４に格納する。
【０１６４】
このようにして個人情報管理装置２００が個人情報保持部２１４に格納した情報について図２５を用いて説明する。
図２５は、第７の実施の形態に係る個人情報管理装置及び携帯端末が保持する個人情報を示す図である。
【０１６５】
個人情報管理装置２００の個人情報保持部２１４には、ＲＦＩＤ識別情報と、位置情報、音声情報（声紋情報）、個人情報が格納される。
次に、携帯端末３００による配置図表示処理及び個人情報表示処理について図１０、図２４及び図２６を用いて説明する。
【０１６６】
図２６は、第７の実施の形態に係る個人情報表示システムの携帯端末が表示する配置図及び個人情報を模式的に示す図である。なお、図２６（Ａ）は、出席者Ａ１〜Ａ４，Ｂ１〜Ｂ４の配置図、図２６（Ｂ）は、個人情報が表示部３２１にそれぞれ表示された場合を示している。
【０１６７】
携帯端末３００は、図１０（Ａ）のフローチャートに従った配置図表示処理を実行する。すると、図２６（Ａ）に示すように配置図を表示部３２１に表示し、また、クローズボタン３２１ａに対するタッチを検知すると、配置図の表示を終了する。
【０１６８】
なお、ステップＳ４１にて、携帯端末３００は、個人情報管理装置２００から位置情報、ＲＦＩＤ識別情報を取得するが、この際、これらの情報と共に音声情報（声紋情報）も取得するようにする。これにより、携帯端末３００も、図２５に示すような情報を個人情報保持部３１４に保持させる。
【０１６９】
また、携帯端末３００は、表示部３２１に配置図を表示している間に、発話した出席者の音声をマイク部３５０が集音すると、図２４のフローチャートに従った個人情報表示処理を実行する。すると、図２６（Ｂ）に示すように、表示部３２１に発話した出席者の個人情報が記載されたウィンドウ３２１ｃを表示し、また、クローズボタン３２１ｃ１がタッチされると、ウィンドウ３２１ｃの表示を終了する。
【０１７０】
このように、個人情報表示システム１００では、携帯端末３００が、出席者Ａ１〜Ａ４，Ｂ１〜Ｂ４の個人情報に、出席者Ａ１〜Ａ４，Ｂ１〜Ｂ４の位置情報及び出席者Ａ１〜Ａ４，Ｂ１〜Ｂ４の音声情報を対応付けて保持する。携帯端末３００は、マイク部３５０が発話した出席者の音声を集音して、集音した音声情報に対応付けた個人情報を表示部３２１に表示させる。これにより、出席者Ａ２は、所望の出席者Ａ１〜Ａ４，Ｂ１〜Ｂ４の個人情報を即座に見ることができるようになる。
【０１７１】
なお、第７の実施の形態では、携帯端末３００の音声情報（声紋情報）だけではなく、第２の実施の形態と同様にして、表示部３２１に表示する配置図をタッチして個人情報を表示することも可能である。
【０１７２】
なお、上記の処理は、コンピュータに所定のプログラムを実行させることで実現できる。その場合、実現すべき処理内容を記述したプログラムが提供される。処理内容を記述したプログラムは、コンピュータ読み取り可能な記憶媒体に記憶しておくことができる。コンピュータ読み取り可能な記憶媒体には、例えば、磁気記録装置、光ディスク、光磁気記録媒体、半導体メモリがある。磁気記録装置には、ハードディスク装置、フレキシブルディスク（ＦＤ）、磁気テープ（ＭＴ）等がある。光ディスクには、ＤＶＤ（Digital Versatile Disc）、ＤＶＤ−ＲＡＭ、ＣＤ−ＲＯＭ（Compact Disc-Read Only Memory）、ＣＤ−Ｒ（Recordable）、ＣＤ−ＲＷ（ReWritable）等がある。光磁気記録媒体には、ＭＯ（Magneto-Optical disk）等がある。
【０１７３】
プログラムを流通させる場合、例えば、そのプログラムが記録されたＤＶＤ、ＣＤ−ＲＯＭ等の可搬型記録媒体が販売される。また、プログラムをサーバコンピュータの記憶装置に格納しておき、ネットワークを介して、サーバコンピュータから他のコンピュータにプログラムを転送することもできる。
【０１７４】
プログラムを実行するコンピュータは、例えば、可搬型記録媒体に記録されたプログラムまたはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、サーバコンピュータからプログラムが転送されるごとに、逐次、受け取ったプログラムに従った処理を実行することもできる。
【符号の説明】
【０１７５】
１  個人情報表示システム
２  個人情報管理装置
２ａ  アンテナ
２ｂ  無線通信部
３  携帯端末
３ａ  個人情報保持部
３ｂ  表示部
３ｂ１  ウィンドウ
３ｃ  入力検知部
３ｄ  表示制御部
３ｅ  情報通信部
３ｆ  ＲＦＩＤタグ
４  テーブル
５  室
Ａ１，Ａ２，Ａ３  出席者
Ｈ  出席者（本人）
【図１】
0005771159.tif 000002
【図２】
0005771159.tif 000003
【図３】
0005771159.tif 000004
【図４】
0005771159.tif 000005
【図５】
0005771159.tif 000006
【図６】
0005771159.tif 000007
【図７】
0005771159.tif 000008
【図８】
0005771159.tif 000009
【図９】
0005771159.tif 000010
【図１０】
0005771159.tif 000011
【図１１】
0005771159.tif 000012
【図１２】
0005771159.tif 000013
【図１３】
0005771159.tif 000014
【図１４】
0005771159.tif 000015
【図１５】
0005771159.tif 000016
【図１６】
0005771159.tif 000017
【図１７】
0005771159.tif 000018
【図１８】
0005771159.tif 000019
【図１９】
0005771159.tif 000020
【図２０】
0005771159.tif 000021
【図２１】
0005771159.tif 000022
【図２２】
0005771159.tif 000023
【図２３】
0005771159.tif 000024
【図２４】
0005771159.tif 000025
【図２５】
0005771159.tif 000026
【図２６】
0005771159.tif 000027